(57)【要約】【課題】ドア錠に用いるサムターンのつまみ部分の形状は、平坦的でドアの隙間及びドアビュウやポスト口から針金とか工具などを差し込んで室内側のサ厶ターンを直接回して解錠することが比較的容易であった。【解決手段】  サ厶ターン外周部形状を円形にし且つ表面をつるつるにすることにより、外部から針金とか工具などにより、回せないようにした。【選択図】図１
2005061200.tif 000002
【特許請求の範囲】
【請求項１】
ドア錠前（本締錠、レバーハンドル錠等）のサムターン形状を円柱形の一体構造とし、防犯性の機能を高めることを特徴とする。
【請求項２】
使用過程のドア錠前（本締錠、レバーハンドル錠等）のサ厶ターンに円柱形のサムターン防犯キャップを後付し、防犯性の機能を高めることを特徴とする。
【請求項３】
前項２のサムターン防犯キャップは、単体または二分割構造によって製作した防犯キャップの溝にサムターン部分を挟み、サムターン平面部にビス締め等によって、容易に取り付けられることを特徴とする。
【請求項４】
前項１のサムターン及び前項２のサムターン防犯キャップには、前面に施錠・解錠状態を表示するマークを設けることを特徴とする。
【発明の詳細な説明】
【発明の詳細な説明】
【技術分野】
【０００１】  この発明は、ドア錠前に用いるサ厶ターン形状に関する。
【背景技術】
【０００２】  従来のドア錠前（本締錠、レバーハンドル錠等）に用いられているサムターンは、図１３に示すように長方形に近い形状のものである。
【発明が解決しようとする課題】
【０００３】  近年、新たな不正解錠の手口として、ドアの隙間及びドアビュウやポスト口から針金とか工具などを差し込んで室内側のサムターンを直接回して不法に解錠する手口が多発しており、この手法はサムターン形状が長方形に近い形となっていることが不正解錠を可能にしている。このため、サムターンを円形にして不正解錠のサムターン回しをほとんど不可能とするものである。
【課題を解決するための手段】
【０００４】  以上の課題を解決するために、請求項１及び請求項２の発明は、ドア錠室内側のサムターン形状を円柱形にすると共に、外周面をつるつる状態に仕上げることで、針金や工具などを差し込んでのサムターン回しをほとんど不可能にすることを特徴とする。
また、請求項３の発明は、使用過程のドア錠サムターンに対し、後付により外部から容易に取り付けられる構造としたものである。
また、請求項４の発明は、サムターンの施錠・解錠状態が明確に判断できるように表示マークを設けることにより、施錠の確実性を高めるものである。
【発明を実施するための最良の形態】
【０００５】  この発明の一実施形態を、図１から図１２に示す。
請求項１の発明は、サムターン（つまみ部分）を軽合金製またはプラスチック製の一体構造品としたものである。
請求項２の発明は、サムターン防犯キャップ・インナー（以下、インナー・キャップという。）２は、軽合金製またはプラスチック製で使用過程のサムターン部分１１をはめ込む溝（小部屋）４と、サムターン部分１１にインナー・キャップ２を固定するためのビス５が設けられている。
また、サムターン防犯キャップ・アウター（以下、アウター・キャップという。）３とインナー・キャップ２には、一体化した状態で回転させるための溝６と突起７を設けており、アウター・キャップ３をインナー・キャップ２にはめ込む際には、溝６に突起７を挿入する。なお、アウター・キャップ３をはめ込んだとき、インナー・キャップ２の外周面数カ所に設けられた小突起８がアウター・キャップ３の内周面に設けられた浅い溝９に勘合し、アウター・キャップ３を固定することにより、抜け防止を図る構造としたものである。
【実施形態の効果】
【０００６】  この実施形態によれば、外周部が円形で且つ表面がつるつるしているため、外周部の一点に力が作用しても回転することはなく、ドアの隙間及びドアビュウやポスト口から針金とか工具などを差し込んで室内側のサムターンを直接回して解錠することは不可能になる。
【他の実施形態】
【０００７】  図３、図４の実施形態ではサムターン防犯キャップ・インナー２を単体構造としたが、他の実施形態では図１０から図１２に示すとおり、プラスチック製の二分割構造とする。また、この実施形態ではサムターン防犯キャップ・インナー２は、内部にサムターン１１の外形と同じ形状となるような溝（小部屋）４を設け、サムターン１１を上下左右から包み込むように装着し、その後サムターン防犯キャップ・アウター３をはめ込み一体化させるものである。
【発明の効果】
【０００８】  以上説明したように、この発明によれば、外周部を円形にし且つ表面がつるつるしているため近年、新たな不正解錠の手口として、ドアの隙間及びドアビュウやポスト口から針金とか工具などを差し込んで室内側のサムターンを直接回して不法に解錠する手口が多発しているが、これら不正解錠のサムターン回しをほとんど不可能とするものである。
【図面の簡単な説明】
【図１】  この発明（請求項１）の一実施形態を示す斜視図である。
【図２】  この発明（請求項１）の一実施形態を示す側面図である。
【図３】  従来サムターンに、この発明（請求項２）のサムターン防犯キャップを組付けた状態の断面図である。
【図４】  この発明の防犯キャップ・インナーの形態を側面から見た断面図である。
【図５】  この発明の防犯キャップ・インナーの形態を示す背面図である。
【図６】  この発明の防犯キャップ・アウターの形態を側面から見た断面図である。
【図７】  この発明の防犯キャップ・アウターの形態を示す背面図である。
【図８】  従来サムターンに、この発明（請求項２）のサムターン防犯キャップを組付けた状態の形態を示す斜視図である。
【図９】  この発明（請求項４）の施錠・解錠状態マーク位置で（Ａ）は施錠状態、（Ｂ）は解錠状態を示す。
【図１０】  他の実施形態として、サムターン防犯キャップ・インナーを二分割構造としたときの形態を示す正面図で、左右のキャップ・インナーを多少分離して表した。
【図１１】  （１）図は二分割構造のサムターン防犯キャップ・インナーの形態を示す上面または下面から見た図であり、図１０同様に左右のキャップ・インナーを多少分離して表している。（２）図は防犯キャップ・インナーの合わせ面の形態を示す図である。
【図１２】  二分割構造のサムターン防犯キャップ・インナーの形態を示す背面図であり、図１０同様に左右のキャップ・インナーを多少分離して表している。
【図１３】  従来のサムターン形態の一例を示す斜視図である。
【符号の説明】
１    形状を円柱形にした一体構造の防犯サムターン
２    サムターン防犯キャップ・インナー
３    サムターン防犯キャップ・アウター
４    使用過程のサ厶ターン部分をはめ込む溝（小部屋）
５    サムターン防犯キャップ・インナーを使用過程のサムターン部分に固定する締付用ビス
６    サムターン防犯キャップ・インナー外周面に設けられた縦長の溝
７    サムターン防犯キャップ・アウター内周面に設けられた縦長の突起
８    サムターン防犯キャップ・インナー外周面数カ所に設けられた小突起
９    サムターン防犯キャップ・アウター内周面に設けられた浅い溝
１０  サムターンの施錠・解錠状態表示マーク。
１１  従来サムターン部分の一例
【図１】
2005061200.tif 000003
【図２】
2005061200.tif 000004
【図３】
2005061200.tif 000005
【図４】
2005061200.tif 000006
【図５】
2005061200.tif 000007
【図６】
2005061200.tif 000008
【図７】
2005061200.tif 000009
【図８】
2005061200.tif 000010
【図９】
2005061200.tif 000011
【図１０】
2005061200.tif 000012
【図１１】
2005061200.tif 000013
【図１２】
2005061200.tif 000014
【図１３】
2005061200.tif 000015